(57)【要約】【課題】  操作性の良い連結具を提供する。【解決手段】  内側にカム溝２２を有するケース５と、該ケース５にスライド可能に設けられ、カム溝２２によってケース５の開口部１２側の第１の位置と奥側の第２の位置とに位置が切換可能とされたスライダ６と、ストラップ部材が取り付けられる取付部材４とを備え、スライダ６は、ケース５の開口部１２側に互いに近接離間可能な一対の保持部７２を有しており、これら一対の保持部７２は、スライダ６が第１の位置にあるとき互いに離間可能であって相互間に取付部材４を挿入可能であり、相互間に取付部材４を挿入した状態でスライダ６が第２の位置にスライドさせられるとケース５で互いの離間が規制されて取付部材４の抜けを規制する。【選択図】    図１
2007075416.tif 000002
【特許請求の範囲】
【請求項１】
内側にカム溝を有するケースと、
該ケースにスライド可能に設けられ、前記カム溝によって前記ケースの開口側の第１の位置と奥側の第２の位置とに位置が切換可能とされたスライダと、
ストラップ部材が取り付けられる取付部材とを備え、
前記スライダは、前記ケースの開口側に互いに近接離間可能な一対の保持部を有しており、
これら一対の保持部は、前記スライダが前記第１の位置にあるとき互いに離間可能であって相互間に前記取付部材を挿入可能であり、相互間に前記取付部材を挿入した状態で前記スライダが前記第２の位置にスライドさせられると前記ケースで互いの離間が規制されて前記取付部材の抜けを規制することを特徴とする連結具。
【請求項２】
前記保持部は、対向する保持部側に突出する突起部を有しており、前記取付部材は前記突起部に係合する係合部が先端に設けられていることを特徴とする請求項１記載の連結具。
【請求項３】
前記保持部は、対向する保持部側かつ先端側に面取りが形成されていることを特徴とする請求項１又は２記載の連結具。
【請求項４】
前記保持部は、基端部側が薄肉で弾性変形可能に形成されていることを特徴とする請求項１から３のいずれか一項に記載の連結具。
【請求項５】
前記取付部材の先端が球状であることを特徴とする請求項１から４のいずれか一項に記載の連結具。
【請求項６】
前記スライダに一端側が支持され他端側が前記カム溝内を摺動するとともに前記スライダに設けられる押さえ部材によって前記カム溝に押圧保持されるカムフロアを有しており、
前記カム溝には、前記カムフロアの摺動方向に段差が形成されていることを特徴とする請求項１から５のいずれか一項に記載の連結具。
【請求項７】
装飾具用であることを特徴とする請求項１〜６のいずれか一項に記載の連結具。
【発明の詳細な説明】
【技術分野】
【０００１】
本発明は、連結具に関し、特にペンダントなどの主に首に掛ける装飾具に好適に用いられる連結具に関する。
【背景技術】
【０００２】
ペンダントやネックレスなどの首にかける装飾具は、使用時には鎖や紐などの首にかけるストラップ部材が止め金などによって環状に連結され、首に巻いた状態で身に付けられる。また、非使用時には、前記の止め金などが外されることで、ストラップ部材が環状の状態から紐状に戻され、首から容易に取り外せるようになっている。
【０００３】
ところで、前記止め金は、例えば雄部材と雌部材とからなり、これらが係合することで連結されるようになっている。また、このような止め金は、使用時において不測に外れないよう、通常は回転させることなどによるロック機構が備えられている。しかしながら、回転させることでのロックやその解除についての操作は、通常、使用者には目視が困難な首の周囲での操作となることから、特に止め金が小さい場合などでは容易でないといった課題があった。
【０００４】
このような背景から、従来、特にユーザが望まないときに不意に外れる虞がなく、望むときの着脱は容易であり、接続と離脱の動作には、回転の操作が不要となる連結具が提供されている（例えば、特許文献１参照）。
この連結具は、ピストン部材がシリンダ部材に嵌入ロックと離脱を自在にする手段を備え、特に前記ピストン部材をシリンダ部材から離脱する方向に離脱弾性力を付勢する弾性部材と、ロックピンとこれを案内するＷ字状またはＭ字状の案内溝とを備えたことなどにより、容易に連結具の切り離しを行うことができるようにしている。
【特許文献１】特開２００３−２２５１０７号公報
【発明の開示】
【発明が解決しようとする課題】
【０００５】
しかしながら、前記の連結具では、案内溝に係合するロックピンがシリンダ部材に形成されているため、使用者がピストン部材をシリンダ部材に挿入させる際には、ロックピンが案内溝へと係合するように、それらの位置を合わなければならず操作が面倒であった。
【０００６】
本発明は前記事情に鑑みてなされたもので、その目的とするところは、操作性の良い連結具を提供することにある。
【課題を解決するための手段】
【０００７】
目的を達成する請求項１記載の発明は、内側にカム溝を有するケースと、該ケースにスライド可能に設けられ、カム溝によってケースの開口側の第１の位置と奥側の第２の位置とに位置が切換可能とされたスライダと、ストラップ部材が取り付けられる取付部材とを備え、スライダは、ケースの開口側に互いに近接離間可能な一対の保持部を有しており、これら一対の保持部は、スライダが第１の位置にあるとき互いに離間可能であって相互間に取付部材を挿入可能であり、相互間に取付部材を挿入した状態でスライダが第２の位置にスライドさせられるとケースで互いの離間が規制されて取付部材の抜けを規制することを特徴とする。
【０００８】
請求項２記載の発明は、請求項１に記載の発明において、保持部は、対向する保持部側に突出する突起部を有しており、取付部材は突起部に係合する係合部が先端に設けられていることを特徴とする。
【０００９】
請求項３記載の発明は、請求項１又は２に記載の発明において、保持部は、対向する保持部側かつ先端側に面取りが形成されていることを特徴とする。
【００１０】
請求項４記載の発明は、請求項１から３のいずれかに記載の発明において、保持部は、基端部側が薄肉で弾性変形可能に形成されていることを特徴とする。
【００１１】
請求項５記載の発明は、請求項１から４のいずれかに記載の発明において、取付部材の先端が球状であることを特徴とする。
【００１２】
請求項６記載の発明は、請求項１から５のいずれかに記載の発明において、スライダに一端側が支持され他端側がカム溝内を摺動するとともにスライダに設けられる押さえ部材によってカム溝に押圧保持されるカムフロアを有しており、カム溝には、カムフロアの摺動方向に段差が形成されていることを特徴とする。
【００１３】
請求項７記載の発明は、請求項１から６のいずれかに記載の発明において、装飾具用であることを特徴とする。
【発明の効果】
【００１４】
請求項１に記載の発明によれば、取付部材を保持部間へと挿入させるだけでスライダに保持され、スライダごとさらに挿入させることでケース内に保持される。そのため、誰もが容易に操作することができるようになる。
【００１５】
請求項２に記載の発明によれば、保持部には、対向する保持部側に突出する突起部が設けられ、取付部材の先端には、保持部の突起部に係合する係合部が設けられているので、保持部間に取付部材を挿入させると、保持部の突起部に取付部材の係合部が係合することになり、取付部材を確実に保持することができる。
【００１６】
請求項３に記載の発明によれば、保持部には、対向する保持部側且つ先端側に面取りが施されているので、保持部同士の先端側がテーパ状に開口するため保持部間に取付部材を挿入し易い。
【００１７】
請求項４に記載の発明によれば、保持部の基端側が薄肉で弾性変形可能に形成されているので、保持部の基端側を基点にして弾性変形することにより保持部同士を近接離間させることができる。また、この弾性力によって取付部材を保持することができるので、ケースから不意にスライダが開口側に移動してしまうことがあっても、保持部の突起部と取付部材の係合部との係合が簡単に外れてしまうことを防ぐことが可能となる。
【００１８】
請求項５に記載の発明によれば、取付部材の先端を球状にすることによって、ケースに対する取付部材の方向性をなくすことができる。そのため、誰でも容易に取り付けることができ、さらに、装着したままストラップの捻れ等を直すことも可能となる。このようにして、操作性及び利便性が高められる。
【００１９】
請求項６に記載の発明によれば、カムフロアは、スライダに設けられた押さえ部材によってカム溝へと押圧されているため、カムフロアの他端側が確実にカム溝内を摺動する。また、カム溝内に段差を形成したことにより、カムフロアの他端側がその段差を越える度にクリック感が与えられるとともに音を発生する。これにより、カム溝に対するカムフロアの係合状態を確認することができる。
【００２０】
請求項７に記載の発明によれば、着脱が頻繁な装飾具に用いられるため操作性を向上させる効果が特に大きい。
【発明を実施するための最良の形態】
【００２１】
以下、本発明を詳しく説明する。
本発明は、特にペンダント等の装飾具用に適用可能な装飾具用連結具（以下、連結具１と記す）である。図１に示すように、この連結具１は、連結具本体２と、鎖や紐等のストラップ部材の両端部のうちの少なくとも一方に取り付けられ、かつ前記連結具本体２に着脱可能に保持される取付部材４とを備えてなるものである。
【００２２】
連結具本体２は、一側に開口するケース５と、上記取付部材４を着脱可能に保持し且つ後述するハートカム機構９によってケース５に対する位置を切換可能とするスライダ６と、該スライダ６をそのスライド方向に付勢するコイルバネ７を備えた案内部材８とを有している。
【００２３】
ケース５は、平面視長方形状を成す有底箱状の基体１０と、該基体１０と略同形状であるとともに基体１０に突き合わせるようにして係合するカバー１１とから構成され、長手方向一側に開口部１２を有するものである。基体１０は、図２及び図３に示すように、長手方向一側に開口１３を有しており、該開口１３とは反対側の他側には一対の凹部１４が基体１０の幅方向に間隔をおいて形成されている。さらに、幅方向両側壁１５の内側には、これら側壁１５よりも高さの低い内壁１６が設けられており、それらの長手方向における先端側は、側壁１５側へと傾斜する側部傾斜面１７を有して、対向する内壁１６の側部傾斜面１７によって開口１３側へとテーパを成すように形成されている。さらに底部１８の先端側にも厚さ方向に僅かに傾斜する底部傾斜面１９が形成されており、この底部傾斜面１９の基端は上記側部傾斜面１７の途中に位置する。また、底部１８の略中央には、長手方向に延在する細長い細長孔部２０が形成されている。
【００２４】
このような基体１０には、幅方向中央であって上記細長孔部２０に隣接し、開口１３とは長手方向反対側の側壁２１に接するようにして、カム溝２２を有した基台２３が設けられている。このカム溝２２は、図２に示すように、平面視ハート状のもので、後述するカムフロア２５の他端部２６がこのカム溝２２内を相対的に摺動することで、ケース５に対するスライダ６の位置決めをなすものとなっている。
【００２５】
具体的に、カム溝２２は、図４に示すように、溝３０，溝３１，溝３２，溝３３，溝３４により構成されるものである。さらに詳しくは、基台２３の端部側（つまり、基体１０の開口１３側）の幅方向一側から長手方向に沿って真っ直ぐに延在する溝３０が形成されており、この溝３０の途中から分岐して溝３１が形成されている。この二方向に分岐する溝３１の基端を分岐点Ｔとする。そして、溝３０から分岐する溝３１は、湾曲することなく基台２３の幅方向他側に傾斜しながらこの方向に直進するように形成される。そして溝３１の先端から基台２３の長手方向と一致するように延在する溝３４が形成され、この溝３４の先端には、その延在方向前方へと凹む凹部３５が設けられている。さらに、この溝３４の先端から溝３４とは離間する方向であって斜め内側に溝３３が形成され、分岐点Ｔに向かって延在している。また、この溝３３の先端側から溝３３とは離間する方向であって、分岐点Ｔとは反対方向へと向かう溝３２が形成されており、この溝３２と溝３３とによってＶ字形状とされて、これら溝３２と溝３３との結合部分が上記カムフロア２５を係止させる係止部３７となる。係止部３７は、溝３３の延在方向端部から分岐点Ｔ側に突出して形成されたものである。溝３２の先端には、前記凹部３５と同方向へ凹む凹部３６が設けられている。この凹部３６と前記凹部３５との位置は、カム溝２２の長手方向で一致したものとなっている。そして、上記溝３０と溝３２とが連結部３８によって連結されることによってカム溝２２が構成され、これにより、全体として平面視略ハート型の形状となるものである。このとき、連結部３８は、凹部３６よりも幅方向外側、つまり、ケース５の側壁１５側に位置したものとなっている。
【００２６】
そして、カム溝２２内を摺動するカムフロア２５の他端部２６の到達点を図５に示す。図４と図５とを照合させるべく、図５では、溝３０の基端側を地点Ａ、溝３０と溝３１との分岐点Ｔを地点Ｂ、凹部３６を地点Ｃ、溝３２と溝３３との結合部分である係止部３７を地点Ｄ、凹部３５を地点Ｅとする。
【００２７】
このカム溝２２には、後述するカムフロア２５を図５の矢印方向に一方通行で進ませるべく、各所定位置の底面に、段差が設けられている。具体的には、溝３０から矢印方向に進んで二股に分岐する地点Ｂにおいて、その一方の側、つまり溝３１側に高い壁となる第１の段差Ｔ１が形成されており、これによってカムフロア２５は、第１の段差Ｔ１を乗り越えることなくその進行方向である、矢印方向に進むようなっている。また、矢印方向に進み、地点Ｃを折り返すと、ここにも高い壁となる第２の段差Ｔ２が形成されていることから、カムフロア２５は逆戻りできずに次の矢印方向に沿って進み、地点Ｄに至る。さらに、この地点Ｄの、地点Ｃ側には高い壁となる第３の段差Ｔ３が形成されており、これによってカムフロア２５は、矢印方向に沿って地点Ｅ側にのみ進むようになっている。そして、この地点Ｅにおいても、地点Ｄ側に高い壁となる第４の段差Ｔ４が形成されており、カムフロア２５は逆戻りできずに矢印方向に沿って進み、前記第１の段差Ｔ１を降り、地点Ａに戻るようになっている。
【００２８】
カバー１１は、図６及び図７に示すように、上記基体１０と略同形状に形成されるもので、長手方向一側に開口４０を有し、他側の側壁４７に一対の凹部４１が互いに間隔をおいて形成されている。基体１０と異なる点は、幅方向両側壁４３の内側に設けられる内壁４２が両側壁４３よりも高さを有しているところである。これによって、上記基体１０に突き合わせ係合する際、内壁４２が基体１０内へ挿入されることになり基体１０との位置決めがなされる。なお、これら内壁４２の先端側に側壁４３側へと傾斜する側部傾斜面４４を有し、そして、対向する内壁４２の側部傾斜面４４によって開口４０側へとテーパ状を成すように形成されている。さらに、カバー１１の上部４５の先端に、厚さ方向に僅かに傾斜する上部傾斜面４６が形成されており、この上部傾斜面４６の基端は上記側部傾斜面４４の途中に位置している。このようなカバー１１を基体１０へ係合させることでケース５が形成される。また、基体１０の開口１３とカバー１１の開口４０とによって、ケース５の開口部１２が形成されることになる。
【００２９】
案内部材８は、図８及び図９に示すように、その中央に所定肉厚の略長方形状の板部４９を配置してなり、該板部４９の幅方向一方にストラップ部材を保持するストラップ掴持部５０を備え、幅方向他方に一対のガイド部５１を備えてなる。
【００３０】
ストラップ掴持部５０は、上記板部４９の側面４９ａの中央に配置され、中央全体的に円筒形状を成す掴持部本体５２の端縁部から半径方向外側に突出する略リング状のフランジ５３を設けてなり、その直径が板部４９の幅方向長さと一致するよう形成されている。この掴持部本体５２には、端部側に開口し且つ軸方向に沿って凹む一対の許容溝部５４が形成されている。これら許容溝部５４の配置方向は掴持部本体５２の直径方向に沿ったもので、許容溝部５４の方向を板部４９の長手方向に沿わせるようにして掴持部本体５２が板部４９に設けられる。これら許容溝部５４により、掴持部本体５２の端部に若干の弾性が生じることになる。
【００３１】
さらに、掴持部本体５２には、これら許容溝部５４の方向と直交する方向に沿って一対のピン孔５５が配置されるが、これらピン孔５５は掴持部本体５２の長手方向における内側の所定位置に穿設されるもので、掴持部本体５２内に保持されるストラップ部材の一端を固定する細長円柱状のピン５６（図１参照）が挿入される。
【００３２】
一対のガイド部５１は、板部４９の他方の側面４９ｂから突出するようにして固定される平面視略長方形状を呈す角柱体６３と、該角柱体６３の端面に設けられる円盤部６４と、該円盤部６４の端面から突出する中実円柱状の軸部６５とから構成され、板部４９の幅方向の略中央であって長手方向両側にそれぞれ配置される。ここで、その幅方向を板部４９の長手方向に沿わせてなる角柱体６３に設けられる円盤部６４の直径は、角柱体６３の幅方向長さよりも長く、また、軸部６５の直径よりも大きい。そして、軸部６５は角柱体６３の長手方向一側に偏って配置され、円盤部６４と同軸を成すよう備えられている。また、該軸部６５の端部周縁には、面取り部６７が形成されている。
【００３３】
そして、掴持部本体５２には、ピン５６の抜けを規制するために、図１０に示すような薄肉円筒状のカラー５８が外装される。カラー５８は、その両端の外径側に面取り部５９が形成されている。さらに、面取り部５９の内側であって、上記掴持部本体５２と略同径に形成される軸孔６０の両端には、該軸孔６０よりも若干大径を成す開口孔部６１が形成されている。カラー５８の軸孔６０は掴持部本体５２の外径と略同径に形成されているため、掴持部本体５２に取り付ける際には、掴持部本体５２の端部を若干弾性変形させてカラー５８を挿入させる。すると、掴持部本体５２のフランジ５３にカラー５８の一端側の開口孔部６１が係合することになって掴持部本体５２からのカラー５８の抜けが規制される。
【００３４】
このような案内部材８は、図１に示すように、ガイド部５１を上記ケース５内に挿入させた状態で組み込まれる。ガイド部５１の角柱体６３を上記基体１０の凹部１４と上記カバー１１の凹部４１（図６参照）との間に設けると、円盤部６４が基体１０の側壁２１及びカバー１１の側壁４７（図７参照）の内側に係止することになるので、ケース５からの案内部材８の抜けが規制される。なお、各軸部６５には、後述するスライダ６をそのスライド方向に付勢するコイルバネ７が収縮可能に外装されている。このコイルバネ７はスライダ６のストロークに対応したばね定数を有したもので、スライダ６に対して所望の付勢力を発生できるように予め設定されたものである。そして、その長さ、すなわち、圧縮された状態でなく無負荷の状態でのコイルバネ７の長さは、軸部６５の長手方向長さと略同じ長さとなっており、一端側が円盤部６４に当接するように設けられている。
【００３５】
スライダ６は、図１１〜図１３に示すように、中央に上記カム溝２２を有した基台２３を挿入可能なスライダ本体７１と、該スライダ本体７１からスライダ本体７１の前方へ延出するとともに上記ケース５の開口部１２から突出する一対の保持部７２とから構成され、ケース５の長手方向に沿ってスライドするとともにケース５の開口部１２から保持部７２を突出可能となっている。
【００３６】
スライダ本体７１は、幅方向両側に一対の支持部７３を配置し、これら支持部７３の前端同士を連結部７４によって連結することで支持部７３間に上記カム溝２２を有した基台２３を挿入可能とするカム溝挿入溝７５を形成してなる。これら支持部７３は、後方に開口するとともに上記ガイド部５１の軸部６５の全体を挿入可能な軸挿入孔７６を有しており、図１１及び図１２に示すように、該軸挿入孔７６の軸方向に沿う図１２に示す開口溝７７によって半径方向外方に開口している。
【００３７】
支持部７３の後端部同士は、その上方側が細棒状の繋部７９で繋がれている。これにより、後端部に開口し且つカム溝挿入溝７５内へ基台２３を導入する基台導入口８０が形成されるとともに、上方に開口し且つカム溝挿入溝７５へ連通する板バネ挿入口８１が形成される。このとき、連結部７４の周囲部８４の高さと繋部７９の高さを揃えておくことにより、周囲部８４及び繋部７９との間に支持部７３側へと凹む段部８２が形成される。また、段部８２の前方側、つまり、段部８２と周囲部８４との境界には、図１３に示すように、厚さ方向に凹む係止溝８３が形成されている。
【００３８】
連結部７４には、図１２及び図１３に示すように、表面に開口し且つ板バネ挿入口８１に開口する半円状のカムフロア挿入溝８５がその厚さ方向に形成され、また、連結部７４の底部７８には該カムフロア挿入溝８５に連通するようにして端部支持孔８７が形成されている。この端部支持孔８７は、上記カム溝２２内を摺動するカムフロア２５の一端部を支持するもので、図１に示すように、その両端部が略直角に折曲してなる金属製でコ字状の細棒からなるカムフロア２５の一端部２７をカムフロア挿入溝８５に沿って端部支持孔８７内へと挿入させることによって、その一端部２７を回動可能に保持することになる。一方、カムフロア２５の他端部２６は上記カム溝２２内を走行できるよう自由端とされる。このカムフロア２５は、上記カム溝２２と従来周知のハートカム機構９を構成する。
【００３９】
なお、図１１の一点差線で示されるように、スライダ本体７１の底面９４側には、該底面９４から基台導入口８０の周囲の所定範囲を厚さ方向に凹ませた摩擦削減部９５が形成され、これにより、基体１０との接触部分が少なくなることで摩擦を最小限に留めることになってケース５内を平滑に移動可能となる。さらに、該摩擦削減部９５の前方側に隣接するとともに底面９４から外方に突出する係合凸部９６が設けられ、カム溝挿入溝７５側から前方へと傾斜する傾斜面９７を有している。
【００４０】
一対の保持部７２は、スライダ本体７１の連結部７４の中央から前方に突出して設けられる当接部９９の両側からスライダ本体７１の幅方向両側へ湾曲しつつ前方へと突出するようにして設けられており、それらの基部１００側が薄肉で弾性変形可能に形成されていることから互いの先端１０１が近接離間可能となっている。
【００４１】
このような保持部７２は、図１１に示すように、当接部９９の両側からスライダ本体７１の幅方向一側へ傾斜し、その方向へと延在する曲面７２ｂと、該曲面７２ｂの先端からスライダ本体７１の長手方向へ延出する側面７２ｃとを有しており、該側面７２ｃは対向する保持部７２の側面７２ｃと平行をなすもので、互いの距離は、スライダ本体７１の幅方向長さに等しくなっている。各保持部７２の内側には、当接部９９側に、半円状の半円溝１０２が形成されている。これにより、半円溝１０２と曲面７２ｂとの距離は狭いものとなり、保持部７２の基部１００側が薄肉となる。また、半円溝１０２の先端に側面７２ｃと平行な面部１０３が形成されており、面部１０３の対向する保持部７２の面部１０３との間隔は、当接部９９の幅方向長さに略等しい。さらに、保持部７２の長手方向中央であって、上記面部１０３の前方には、対向する保持部７２側に突出する突起部１０６が形成されており、この突起部１０６は側面７２ｃに平行であって、その一端から面部１０３へと傾斜する傾斜面１０４を介して面部１０３と接続されている。つまり、面部１０３よりも突起部１０６の方が対向する保持部７２との距離を狭くしている。言い換えれば、保持部７２においてもっとも厚肉とされる部分である。さらに、保持部７２の先端１０１、すなわち突起部１０６の他端から保持部７２の端部にかけて面取り部１０５が形成されている。これにより、面取り部１０５は、対向する面取り部１０５とによって保持部７２の先端１０１側がテーパ状に開口することになる。
【００４２】
スライダ６には、上述した係止溝８３及び段部８２に、図１に示される上記カムフロア２５を常に押圧する板バネ１０９（押さえ部材）が組み込まれるようになっている。板バネ１０９は、図１に示すように、平面視コ字状の保持板部１１０の開口側へと突出しかつ漸次下方に傾斜するバネ部１１１を有し、その先端は保持板部１１０と平行をなすよう所定位置から曲折されている。そして、保持板部１１０の周縁から該保持板部１１０に対して垂直に垂下する垂下板部１１２のうち垂下板部１１２（１１２ａ）をスライダ６の係止溝に挿入させながら、他の垂下板部１１２（１１２ｂ）に形成された一対の係止穴１１４内に、図１２に示す支持部７３の開口溝７７の上方の側部７３ａに設けられた一対の係止突起１１５を係止させることで取り付けられる。係止突起１１５の上端側に、支持部７３の側部７３ａ側に傾斜する傾斜面１１６を設けておくことによって、垂下板部１１２（１１２ｂ）の係止穴１１４内に挿入され易くなる。
【００４３】
これにより互いの係合が保たれるため、バネ部１１１によって常に上記カムフロア２５を付勢することになる。特に、カムフロア２５の他端部２６は、カム溝２２内から外れることなくカム溝２２内を走行するようになる。このように、カムフロア２５は常に板バネ１０９によって押圧されているため、カムフロア２５の他端部２６がカム溝２２の段差Ｔ１，Ｔ２，Ｔ３，Ｔ４から降りる度に音が生じることになる。
【００４４】
本実施形態においては、上記カムフロア２５の他端部２６が、図５に示すカム溝２２の地点Ａに停止しているときのスライダ６の位置を「第１の位置」とし、また、カムフロア２５の他端部２６が地点Ｄに停止しているときのスライダ６の位置を「第２の位置」とする。
【００４５】
このようなスライダ６は、支持部７３の軸挿入孔７６内に前記案内部材８の軸部６５を挿入させた姿勢でケース５内に設けられるが、このとき係合凸部９６を基体１０の細長孔部２０内に係合させておくことでケース５内からの脱落が防止される。
【００４６】
取付部材４は、図１４に示すように、ストラップ部材の端部を取り付ける円筒状の取付部１１９と、該取付部１１９と同軸を成す円柱状の円柱軸１２０とからなる樹脂製のものである。前記取付部１１９は、取付部本体１２２の長手方向一端に、その端部周縁から半径方向外側に突出する略リング状のフランジ１２１が設けられている。また、この取付部本体１２２には、端部側に開口し且つ軸方向に沿って凹む一対の許容溝部１２３が形成されており、これら許容溝部１２３の配置方向は取付部本体１２２の直径方向に沿ったものである。これら許容溝部１２３により、取付部本体１２２の端部に若干の弾性が生じることになる。さらに、これら許容溝部１２３の方向と直交する方向に沿って一対のピン孔１２４が配置されるが、これらピン孔１２４は取付部本体１２２の長手方向内側所定の位置に穿設されるもので、取付部本体１２２内に保持されるストラップ部材の他端を固定する細長円柱状のピン１２５（図１参照）が挿入される。
【００４７】
それに対し、取付部本体１２２の長手方向他端には、取付部本体１２２の直径よりも大径を成す薄板状の円板部１２７が設けられ、この円板部１２７の中央に、取付部本体１２２及び円板部１２７と中心軸を合わせ且つ該円板部１２７に対して垂直に突出する円柱軸１２０が設けられている。この円柱軸１２０の直径は、スライダ６の突起部１０６間の距離と一致しており、この円柱軸１２０の先端部１２６（係合部）は、円柱軸１２０の直径よりも大径をなす球状となっていて、その周面の一部が保持部７２の面部１０３同士に当接可能となっている。そして、この取付部材４の取付部本体１２２に於いても、ピン１２５の抜け、つまりストラップ部材の抜けを規制するために上記カラー５８が外装される。このように形成される取付部材４は、その先端をスライダ６の保持部７２間に着脱可能に保持されるものである。
【００４８】
次に、このような構成の連結具１の使い方を説明する。
まず、この連結具１を用いてなる装飾具を首等に巻くため、ケース５の開口部１２から保持部７２を突出させた状態の第１の位置にあるスライダ６の保持部７２間にストラップ部材の一方の端部に設けられた取付部材４を装着させるのであるが、このとき、図１５（ａ）に示すように、取付部材４の先端部１２６を保持部７２の先端１０１側の面取り部１０５に沿って挿入させていくと、図１５（ｂ）に示すように、両保持部７２が弾性変形してその先端１０１同士が離間し、同時に突起部１０６同士が離間することによって、取付部材４の先端部１２６が突起部１０６を越えて係止位置へと進入可能となる。そして、先端部１２６の最大直径を成す部分が突起部１０６間を越えるとすぐに、弾性復帰が生じて先端１０１同士が近接する。つまり、このとき突起部１０６同士、面部１０３同士も近接するため、取付部材４の円柱軸１２０はこれら突起部１０６によって挟持され、先端部１２６は面部１０３によって挟持される。そして、先端部１２６は当接部９９に当接した状態で保持部７２間に保持される。
【００４９】
さらに、取付部材４をさらに押圧してスライダ６とともにケース５の奥側に押し込むと、図１６に示すように、ハートカム機構９によってスライダ６は第２の位置に案内される。ここで、スライダ６の動きは、図５を参照しつつ説明する。すなわち、スライダ６の移動に伴い、カムフロア２５の他端部２６がカム溝２２内を相対的に移動することにより、取付部材４はスライダ６によって第１の位置から第２の位置へと案内される。このカムフロア２５の一端部２７の移動は、図５中の矢印に沿って、地点Ａから地点Ｃを通り、地点Ｄに至ることでなされる。すなわち、取付部材４を押し込むことでスライダ６を後退させて、カムフロア２５の他端部２６を矢印に沿って地点Ｃへと至らせると、スライダ６と案内部材８との間に介在するコイルバネ７が、スライダ６に押圧されて収縮し、これによってスライダ６を前進させる方向、つまり第１の位置に付勢する付勢力を発生する。地点Ｃに至るとカムフロア２５の他端部２６はそれ以上進めなくなり、この状態でスライダ６、つまり、取付部材への押圧を解除すると、コイルバネ７の付勢力によってスライダ６が前進し、これによってカムフロア２５の他端部２６が地点Ｄに向かって走行し、地点Ｄ、つまり第２の位置へと移動する。この状態で、取付部材４を引き抜こうとしても、ケース５によって保持部７２同士の離間が規制されるため引き抜くことはできない。こうして、取付部材４は、ケース５内へと収容されることになる。
【００５０】
そして、取付部材４をケース５から取り外す場合には、取付部材４を押圧してスライダ６を地点Ｄから地点Ｅに移動させ、他端部２６が地点Ｅに至ったところで取付部材４の押圧を止めると、コイルバネ７の付勢力によって前進するスライダ６の移動に伴いカムフロア２５の他端部２６が地点Ｅから地点Ａへと移動する。このようにして、取付部材４はスライダ６とともに第１の位置に戻され、保持部７２がケース５の開口部１２から突出した状態となる。
【００５１】
そして、この状態で取付部材４を今までの挿入方向とは逆の方向に引っ張ると、図１５（ｂ）に示すように、取付部材４の先端部１２６が突起部１０６に係合しながら突起部１０６同士を押し広げ、保持部７２の先端１０１同士を離間させるように弾性変形する。これにより、保持部７２による取付部材４の保持が解除され、取付部材４を引き抜くことができる。取付部材４を引き抜いた保持部７２同士の先端１０１は、すぐさま弾性復帰して元の状態に戻ることになる。
【００５２】
以上のことから、取付部材４を保持部７２間へと挿入させるだけでスライダ６に保持され、スライダ６ごとさらに挿入させることでケース５内に保持される。そのため、誰もが容易に操作することができるようになる。
【００５３】
また、保持部７２には、対向する保持部７２側に突出する突起部１０６が設けられているので、このような保持部７２間に取付部材４を挿入させると、保持部７２の突起部１０６に取付部材４の先端部１２６が係合することになり、取付部材４を確実に保持することができる。この保持部７２には、対向する保持部７２側且つ先端１０１側に面取りが施されているので、保持部７２同士の先端１０１側がテーパ状に開口するため保持部７２間に取付部材４を挿入し易い。
【００５４】
保持部７２は、その基部１００側が薄肉で弾性変形可能に形成されているので、保持部７２の基部１００側を基点にして弾性変形することにより保持部７２同士を近接離間させることができるため、取付部材４の着脱が容易となる。また、これら保持部７２の弾性力によって取付部材４を保持することができるので、ケース５から不意にスライダ６が開口部１２側に移動してしまうことがあっても、保持部７２の突起部１０６同士によって取付部材４の先端部１２６が保持されているため、スライダ６に対する取付部材４の係合が簡単に外れてしまうことを防ぐことが可能となる。したがって、取付部材４が連結具本体２から不測に外れてしまうことが防止される。
【００５５】
さらに、取付部材４の先端部１２６を球状にすることによって、ケース５に対する取付部材４の方向性をなくすことができる。そのため、誰でも容易に取付部材４をスライダ６へと取り付けることができ、さらに、装着したまま取付部材４を回転させるなどしてストラップ部材の捻れ等を直すことも可能となる。このようにして、連結具１としての操作性及び利便性が高められる。
【００５６】
また、カムフロア２５は、スライダ６に設けられた板バネ１０９によってカム溝２２へと押圧されているため、カムフロア２５の他端部２６が確実にカム溝２２内を摺動する。また、カム溝２２の底部にカムフロア２５を一方に案内するための段差Ｔ１，Ｔ２，Ｔ３，Ｔ４を形成したことにより、カムフロア２５の他端部２６がその段差Ｔ１〜Ｔ４を降りることにより、クリック感が得られるとともに音が生じる。これにより、カム溝２２に対するカムフロア２５の係合状態を確認することができる。
以上のことから、着脱が頻繁な装飾具に用いることで操作性を向上させる効果が特に大きい。
【００５７】
なお、上記実施形態においては、取付部材４の先端部１２６の形状を球状としたが、これに限ったものではなく、スライダ６の保持部７２間に保持可能であればよい。また、本発明の連結具１を装飾具用に適用した場合について説明したが、本発明はこれに限定されることなく応用させることができる。
【図面の簡単な説明】
【００５８】
【図１】本発明における一実施形態の連結具を示す分解斜視図である。
【図２】本発明における一実施形態の連結具の基体を示す平面図である。
【図３】本発明における一実施形態の連結具の基体を示す側面図である。
【図４】本発明における一実施形態のハートカム機構のカム溝を説明するための平面図である。
【図５】本発明における一実施形態のハートカム機構のカム溝の段差を説明するための平面図である。
【図６】本発明における一実施形態の連結具のカバーを示す平面図である。
【図７】本発明における一実施形態の連結具のカバーを示す側面図である。
【図８】本発明における一実施形態の案内部材を示す平面図である。
【図９】本発明における一実施形態の案内部材を示す側面図である。
【図１０】本発明における一実施形態のカラーを示す側断面図である。
【図１１】本発明における一実施形態のスライダを示す平面図である。
【図１２】本発明における一実施形態のスライダを示す図であって、図１１に示すＡ−Ａの方向へ見る断面図である。
【図１３】本発明における一実施形態のスライダを示す側断面図である。
【図１４】本発明における一実施形態の取付部材を示す側面図である。
【図１５】取付部材がスライダに保持される仮定を説明するための平面図であって、（ａ）は保持前、（ｂ）は挿入途中を示す図である。
【図１６】取付部材がケース内に保持された状態を示す平面図である。
【符号の説明】
【００５９】
１  連結具
４  取付部材
５  ケース
６  スライダ
１２  開口部
１０５  面取り部
１０６  突起部
１０９  板バネ（押さえ部材）
１２６  先端部（係合部）
Ｔ１，Ｔ２，Ｔ３，Ｔ４  段差
【図１】
2007075416.tif 000003
【図２】
2007075416.tif 000004
【図３】
2007075416.tif 000005
【図４】
2007075416.tif 000006
【図５】
2007075416.tif 000007
【図６】
2007075416.tif 000008
【図７】
2007075416.tif 000009
【図８】
2007075416.tif 000010
【図９】
2007075416.tif 000011
【図１０】
2007075416.tif 000012
【図１１】
2007075416.tif 000013
【図１２】
2007075416.tif 000014
【図１３】
2007075416.tif 000015
【図１４】
2007075416.tif 000016
【図１５】
2007075416.tif 000017
【図１６】
2007075416.tif 000018